(57)【要約】  【課題】プリントの自動包装を行う画像形成において、顧客のプライバシーを保護しつつ、包装されたプリントの判別を容易にすることを目的とする。  【解決手段】受付機でプリント注文時に、予め顧客または画像形成装置によって、自動包装の際にプリントパックの最も上に載置される画像として、判別しやすく、かつプライバシーを保護できるような画像を適宜選択することにより、前記課題を解決する。【選択図】図１
2006251638.tif 000002
【特許請求の範囲】
【請求項１】
画像データに応じて記録媒体に画像を記録して、プリントを作成する画像形成部と、
前記画像形成部が作成するプリントを件毎、もしくはオーダー毎にまとめて、袋詰めしてプリントパックとするパッカーを有し、
かつ、前記プリントパックの最も上が、適宜選択された画像を記録したプリントとなるように、前記プリント作成およびパッキングを行うことを特徴とする画像形成装置。
【請求項２】
前記適宜選択された画像が、プリントを注文された１件の画像の中から選択された画像である請求項１に記載の画像形成装置。
【請求項３】
前記適宜選択された画像が、プリント注文された画像ではない、予め準備した画像の中から選択された画像である請求項１に記載の画像形成装置。
【請求項４】
前記適宜選択された画像が、プリントを注文された１件の人物が存在する画像のうち、最も人物の顔が小さい画像である請求項１に記載の画像形成装置。
【請求項５】
前記適宜選択された画像が、プリントを注文された１件の画像の中から選択された、人物が存在しない画像である請求項１に記載の画像形成装置。
【請求項６】
前記適宜選択された画像が、プリントを注文された１件のインデックス画像をぼかした画像である請求項１の画像形成装置。
【請求項７】
前記一番上のプリントに加工を施した画像を記憶する請求項１〜６のいずれかに記載の画像形成装置。
【請求項８】
前記一番上のプリントが、製品プリントである請求項２、４および５のいずれかに記載の画像形成装置。
【請求項９】
さらに、プリント注文を受け付けるプリント注文受付機を有し、前記画像形成部はプリント注文受付機から供給された画像データを記録してプリントを作成し、さらにこのプリント注文受付機が、前記プリントパックの最も上のプリントに記録する画像の選択手段を有する請求項１〜８のいずれかに記載の画像形成装置。
【請求項１０】
画像データに応じて記録媒体に画像を記録したプリントを作成して、件毎、もしくはオーダー毎にまとめて袋詰めしてプリントパックにすると共に、
前記プリントパックの一番上のプリントを、適宜選択された画像を記録したプリントとすることを特徴とする画像形成方法。
【発明の詳細な説明】
【技術分野】
【０００１】
本発明は、主にカメラ等で撮影された画像からのプリント作成を行う画像形成に関し、詳しくは、プリントの自動包装を行う画像形成において、包装されたプリントの判別を容易にするための画像形成方法および画像形成装置に関する。
【背景技術】
【０００２】
従来の写真フィルムやデジタルカメラ等で撮影した画像からのプリント作成では、ラボ店等の店頭でプリント作成注文を受け付けると、撮影した画像からのプリント作成を行い、製品プリントとして出力されたプリントは、プリンタのソータなどへ集積された後に、オペレータの手作業でＤＰ袋へ袋詰めされる。店頭では顧客にプリントを１枚あるいは複数枚見せて、本人のものであるか確認して返却していた。しかし、この方法では、オペレータの手間がかかり、非効率的である。
【０００３】
この作業を省略化するためにパッカーというものが提案されている。パッカーとは、画像形成装置のソータなどへ集積されたプリントをまとめて、透明な袋に入れ、シールなどで封をするものである。パッカーの場合は、袋詰めされているので、顧客にプリントの中身を複数枚見せて内容を確認することができない。このため、集積されるプリントの最上部には、顧客名やプリントＩＤ、注文情報、料金、バーコードなどの注文内容が付与されたプリントが載置され、パッキングされた状態でも、注文内容、料金などが容易に確認できるようになっている。
【０００４】
また、顧客がラボ店等の店頭で、プリント注文したプリントを受け取る場合には、引換券と交換にプリントを受け取るのが一般的である。店員は、引換券に記された受付番号などをもとに、仕上がりプリント群の中から対応するプリントを探し出し、顧客に渡していた。
【発明の開示】
【発明が解決しようとする課題】
【０００５】
しかし、この方法では、陳列されている仕上がりプリントが多いと、顧客名や受付番号などを照合して、対応するプリントを探し出すことは容易ではない。そのため、省人化をしていくための方法として、顧客が自分で、陳列された仕上がりプリント群の中から、注文したプリントを探し出し、引き換え券と共にレジに持っていき、精算する方法も考えられる。だが、顧客にとっても、顧客名や受付番号などを照合して、対応するプリントを探し出すことは容易ではないし、また、店側にとっても、顧客に分かりやすいように仕上がりプリントを陳列するには、受付番号順に配列するなどの手間がかかる。最上部のプリントを、顧客に分かりやすいように製品プリントにしてパッキングする方法もあるが、その場合は、陳列されると他人に見られてしまう心配があるため、顧客のプライバシーを保護することができるとは言い難い。
【０００６】
本発明は、前記従来技術の問題点を解決することにあり、パッカーを有する画像形成装置において、プリントのパッキングを行う際に、集積されたプリントの最上部へ載置するプリントを工夫することによって、顧客のプライバシーを保護しつつ、顧客が自分の注文したプリントパックを探し出すのを容易にすることを目的とする。
【課題を解決するための手段】
【０００７】
前記目的を達成するために、本発明の画像形成装置は、画像データに応じて記録媒体に画像を記録して、プリントを作成する画像形成部と、前記画像形成部が作成するプリントを件毎、もしくはオーダー毎にまとめて、袋詰めしてプリントパックとするパッカーを有し、かつ、前記プリントパックの最も上が、適宜選択された画像を記録したプリントとなるように、前記プリント作成およびパッキングを行うことを特徴とする画像形成装置を提供する。
【０００８】
このような本発明の画像形成装置において、前記適宜選択された画像が、プリントを注文された１件の画像の中から選択された画像であるのが好ましく、また、前記適宜選択された画像が、予め準備した画像の中から選択された画像であるのが好ましく、あるいは、前記適宜選択された画像が、プリントを注文された１件の人物が存在する画像のうち、最も人物の顔が小さい画像であるのが好ましい。
また、前記適宜選択された画像が、プリントを注文された１件の画像の中から選択された、人物が存在しない画像であるのが好ましく、あるいは、前記適宜選択された画像が、プリントを注文された１件のインデックス画像をぼかした画像であるのが好ましい。
【０００９】
さらに、前記一番上のプリントに加工を施した画像を記憶するのが好ましく、また、ペーパーロスを考えると、前記一番上のプリントが、製品プリントであるのが好ましい。
【００１０】
さらに本発明の画像形成装置は、プリント注文を受け付けるプリント注文受付機を有し、前記画像形成部はプリント注文受付機から供給された画像データを記録してプリントを作成し、さらにこのプリント注文受付機が、前記プリントパックの最も上のプリントに記録する画像の選択手段、および、この画像を記録したハードコピーの出力手段を有する画像形成装置を提供する。
【００１１】
このような本発明の画像形成方法は、画像データに応じて記録媒体に画像を記録したプリントを作成して、件毎、もしくはオーダー毎にまとめて袋詰めしてプリントパックにすると共に、前記プリントパックの一番上のプリントを、適宜選択された画像を記録したプリントとすることを特徴とする画像形成方法を提供する。
【発明の効果】
【００１２】
このような本発明によれば、パッカーを有する画像形成装置でプリントのパッキングを行う際に、パッキングされたプリントの最上部を、事前に適宜選択した画像プリントにすることで、顧客が一目で自分の注文プリントであるか判別できるような形でのパッキングが可能である。また、最上部のプリントを顧客が事前に適宜選択したり、さらに選択されたプリントに加工を施して画像の内容がはっきりわからないようにすることで、顧客のプライバシーも保護することができる。また、店舗側では、プリントパックを配列順を考慮しないで陳列できるため、作業効率をアップさせることが可能である。
【発明を実施するための最良の形態】
【００１３】
以下、本発明の画像形成方法および画像形成装置について、添付の図面に示される好適実施例を基に詳細に説明する。
【００１４】
図１は、本発明の画像形成方法を実施する本発明の画像形成装置を利用するプリント生産システムの一例を概念的に示すブロック図である。
このプリント生産システム１０（以下、システム１０とする）は、デジタルカメラや携帯電話等で撮影された画像（画像データ）から、顧客の注文（注文情報）に応じた（仕上がり写真）プリントを作成し、後述するプリントパックとするもので、一例として、プリント注文受付機１２（以下、受付機１２とする）と、画像処理装置１４と、パッキング機能付きミニラボ１６とを有して構成される。これらは、公知のネットワークによって接続されている。
【００１５】
図示例のシステム１０において、本発明の画像形成装置は、好ましい態様として、画像処理装置１４と、パッキング機能付きミニラボ１６とから構成される。これらは、一体的に構成されてもよく、あるいは、別体で構成されてもよい。
さらに、本発明の画像形成装置は、画像処理装置１４およびパッキング機能付きミニラボ１６の少なくとも１つを複数有するものであってもよく、１つの画像形成装置が複数の受付機１２に対応しても、１台の受付機１２が複数の画像形成装置に対応してもよい。
【００１６】
プリント注文受付機１２（以下、受付機１２とする）は、ラボ店の店頭や商業施設等に設置され、デジタルカメラや撮影機能を有する携帯電話等の撮像装置で撮影された画像（画像データ）からのプリント作成の注文を受け付ける、公知のプリント注文受付機であり、引換券を印刷するための出力手段を備えている。
【００１７】
すなわち、受付機１２は、顧客（プリント作成の注文者）によって記憶媒体が所定位置に装填され、あるいは、デジタルカメラや携帯電話などの撮像装置が接続されると、これらが記憶している画像（画像データ）を読み出し、ディスプレイに表示し、顧客に、プリント注文のための必要な情報（注文データ）の入力、および、プリントパックの最も上に載置する画像の選択を促す。顧客による注文が終了したら、受付機１２は、１件（１オーダ）毎に、画像と注文データとを対応付けして、さらに、受付機１２で選択された画像が、プリントパックの最も上に載置する画像となるように、１件の注文画像の中の画像データを並べ替える。
【００１８】
なお、この時の画像データの順番は、後述するプリントパック内でプリント（画像記録面）が表面に出るようにすればよく、例えば、パッキング機能付きミニラボ１６が裏面排紙である場合には、プリントパックの最も上に載置する画像が１件の最初に、表面排紙である場合には１件の最後になるように並べ替えればよい。
【００１９】
並べ変えられた注文画像および注文データは画像処理装置１４に送られる。また、１件の注文が終了すると、受付機１２は、注文内容、受付番号、納期等を記載した引換券を作成して、出力する。さらに、前記引換券には、プリントパックの最も上に載置する画像がプリントされているのが好ましい。
なお、注文データとしては、プリントを作成する画像、プリントサイズ、枚数、受付番号（受付番号）などのプリント作成のための必須の情報に加え、受付日時、顧客ＩＤ、顧客の氏名、顧客の連絡先（電話番号など）、顧客の住所等が例示される。
【００２０】
また、システム１０においては、店頭等に設置される専用の受付機１２ではなく、自宅などのＰＣ（パーソナルコンピュータ）等から、インターネット等のコンピュータ通信ネットワークを用いてプリント作成を注文する、いわゆるネット注文や、携帯電話からのＥメールでの注文等にも対応可能である。すなわち、この際には、顧客の自宅のＰＣ等がシステム１０のプリント注文受付機となる。この際においては、例えば、ラボ店等が開設しているホームページなどにアクセスして閲覧することで、ＰＣ等を本発明のプリント注文受付機として作用させてもよく、専用の注文用ソフトウエアをＰＣ等にダウンロードして、ＰＣ等を本発明のプリント注文受付機として作用させてもよい。
これ以外にも、ラボ店等が有するＰＣに専用の注文受付用ソフトウエアをインストールすることにより、このＰＣを本発明のプリント注文受付機として作用させてもよい。
【００２１】
さらに、本発明の画像形成装置は、受付機１２で受け付けた画像のみならず、写真フィルムをスキャナ（画像読取装置）で読み取って得られた画像（画像データ）からのプリント作成に対応してもよい。
【００２２】
画像処理装置１４は、注文された画像および注文データを受付機１２から供給される。さらに、受付機１２から供給された画像に、注文データに応じた画像処理を施して注文プリント画像を生成し、この注文プリント画像をパッキング機能付きミニラボ１６に供給するものである。なお、システム１０においては、受付機１２ではなく、この画像処理装置１４で画像（画像データ）および注文データを取得して、同様の処理を行ってもよい。
画像処理装置１４で実施する画像処理には特に限定はなく、画像の拡大／縮小（電子変倍処理）、階調補正、色／濃度補正、彩度補正、シャープネス処理等の公知の各種の画像処理が利用可能である。また、何れの画像処理も、公知の方法で実施すればよい。
【００２３】
さらに、画像処理装置１４は、１件の最後の画像（注文プリント画像もしくはプリントパックの最も上に載置する画像）を供給した後、１件の区切りを示すソート情報をパッキング機能付きミニラボ１６に出力するのが好ましい。
プリントパックの最も上に載置する画像については、後に詳述するが、予め受付機１２で選択された画像が用いられる。
【００２４】
パッキング機能付きミニラボ１６は、画像処理装置１４から供給された注文プリント画像およびプリントパックの最も上に載置する画像に応じて、感光材料（印画紙）を露光して潜像を形成し、所定の湿式現像を施して、乾燥して（仕上がり写真）プリントとし、さらに、１件毎、もしくは１オーダー毎にパッキング（袋詰め包装）してプリントパックとするものである。
図２に示す例において、パッキング機能付きミニラボ１６は、露光部３０と、プロセサ３２と、パッカー３４とを有して構成される。なお、特に説明はしないが、感光材料Ａは、搬送ローラ対等の公知の搬送手段によって、各部位に搬送される。
【００２５】
図示例のパッキング機能付きミニラボ１６において、露光部３０には、感光材料Ａを巻回してなる感光材料ロール３８を収容するマガジン４０を２個装填可能となっている。
感光材料Ａは、マガジン４０から引き出されて、カッタ４２によってプリントサイズに応じて切断され、バックプリンタ４４によってバックプリントを記録された後、所定の露光位置に供給される。
【００２６】
画像処理装置１８から供給された画像（注文プリント画像およびプリントパックの最も上に載置する画像）は、後述する露光制御部１０６から露光ユニット４６に供給される。
露光ユニット４６は、画像に応じて変調した光ビームＬ（記録光）を主走査方向に偏向して、前記露光位置に入射する。一方、感光材料Ａは、前記露光位置に位置されつつ、主走査方向と直交する副走査方向に走査搬送される。従って、感光材料Ａは、画像に応じて変調された光ビームＬによって二次元的に走査露光され、潜像を記録される。潜像を記録された感光材料Ａは、順次、プロセサ３２に供給される。
【００２７】
プロセサ３２は、現像部４８および乾燥部５０を有して構成される。
露光部３０で潜像を形成され、プロセサ３２に供給された感光材料Ａは、まず、現像部４８において、各処理槽に搬送されて、現像、漂白／定着、水洗の各処理を、順次、行われ、次いで、乾燥部５０において、ヒータ等によって乾燥され、搬送部５２を経て、（仕上がり写真）プリントＰとして、パッカー３６（集積部６８）に排出される。
なお、パッキングされない大きなサイズのプリントは、搬送部５２には搬送されず、乾燥部５０から上方の大サイズプリント排出部５４に排出される。搬送路の切り替えは、切り替えガイドを用いる方法等の公知の方法で行えばよい。
【００２８】
パッカー３６は、注文データに応じて、１件毎、もしくは１オーダー毎にプリントを集積してパッキングするもので、包装用シートＳを供給するシート供給部６０と、開口手段６２と、ストッパ６４と、シール／カット部６６と、集積部６８と、製品収容部７０とを有して構成される。
【００２９】
包装用シートＳは、図３に示すような、２枚のシートを重ね合わせて端部で接着してなる、筒状の透明な長尺シートであって、一面には、１つのプリントパックに対応する間隔ｔで、長手方向と直交する方向に延在して切込みｃが形成されている。シート供給部６０において、包装用シートＳはロール状に巻回されたシートロール７２として、切込みｃを有する面を集積部６８に向けて装填され、ガイドロール７２および搬送ローラ対７６によって、所定の経路を搬送される。
開口手段６２は、包装用シートＳの切込みｃの直下を保持（例えば、吸引による保持）して、包装用シートＳの筒を開く方向（図中矢印ａ方向）に移動することで、包装用シートＳの切込みｃを開口させる。さらに、ファンによる風を上方から切込みｃに吹きつけ、包装用シートＳを膨らませるのが好ましい。
図示例において、包装用シートＳは、後述するように下端部をシールされた状態で、下部を搬送ローラ対７６によって案内され、かつ、開口手段６２によって切込みを解放された状態で、ガイドロール７４から垂下した状態で待機している。
【００３０】
搬送部５２から搬送されたプリントＰは、集積部６８に供給される。集積部６８は、下端を前記開口手段６２によって解放された包装用シートＳの切込みの開口部に向けて下方に傾斜する斜面で、通常の状態では、下端部のストッパ６４が閉塞している。従って、搬送部５２から、供給されたプリントＰは、一旦、集積部６８に集積される。
この際、前述のように、パッキング機能付きミニラボ１６が裏面排紙である場合には１件の最初に、表面排紙である場合には１件の最後に、プリントパックの最も上に載置する画像が集積されるようにする。
【００３１】
パッカー３４では、例えば、前記ソート情報、プリント枚数のカウント、注文プリントの集積部６８への排出等によって，１件のプリントＰ（注文プリントを含む）が集積部６８に集積されたことを知見すると、ストッパ６４を解放して、次のプリントＰが集積部６８に排出される前にストッパ６４を閉塞する。
これにより、集積部６８内の１件のプリントＰが落下して、開口手段６２で開口された切込みｃから包装用シートＳに収容される。
【００３２】
１件のプリントＰが包装用シートＳに収容されると、開口手段６２が包装用シートｓを解放し（あるいはさらにファンを停止して）、次いで、シートロール７２が回転して、切込みｃがシール／カット部６６に至る位置まで、包装用シートＳを送り出す。
シール／カット部６６は、例えば、加熱によって包装用シートＳを融着かつ切断するもので、包装用シートＳの搬送方向の中心部に幅方向に延在する微細な凸部を有するヒータを有する。
【００３３】
前記包装用シートＳの送り出しは、前記凸部が切込みｃと一致する位置で停止する。次いで、シール／カット部６６（その前記ヒータ）が包装用シートＳに押圧され、切込みｃの上部および下部で包装用シートＳをシール（閉塞）し、かつ、凸部によって切込みｃで包装用シートＳを切断する。
これにより、次にプリントＰを収容する包装用シートＳの下端（シートロール７２に繋がる包装用シートＳの下端）を閉塞し、かつ、１件のプリントＳを収容する包装用シートＳの上端を閉塞かつ切断して、１個のプリントパック８０を完成する。
【００３４】
プリントＳを収容するプリントパック８０は、搬送ローラ対７６および７８によって搬送されて、製品収容部７０に収容される。
【００３５】
以下、図１のブロック図を参照して、システム１０の作用を説明することにより、本発明について、より詳細に説明する。
【００３６】
前述のように、顧客によって受付機１２でのプリント注文が行われ、注文が確定すると、次いで受付機１２において、プリントパックの最も上に載置する画像の選択を行う。
【００３７】
上述のように、注文された１件の画像の中から、顧客が指定した画像を、プリントパックの最も上に載置する画像として使用する。これは、プリントパックの最も上に載置する画像の選択時に、受付機１２のディスプレイなどの表示手段により、プリント注文された注文画像をすべて表示して、その中から、最も上に載置する画像を顧客が選択するものである。
【００３８】
注文が確定した後に、注文画像の中から最も上に載置する画像を顧客が選択すると、受付機１２は、プリントパックの最も上に載置する画像の簡単なサンプルハードコピーを、引換券に印刷して出力するか、または、引き換え券の出力と同時に、別の用紙に印刷して出力する。
引換券を出力すると、受付機１２は、注文が確定した１件について、画像と注文データとを対応付けして、受付機１２で選択された画像がプリントパックの最も上に載置する画像となるように、注文された１件の各画像データの順番を並べ替えて、画像処理装置１４に送る。
【００３９】
画像処理装置１４は、供給された画像を注文データに応じて処理し、注文プリント画像としてパッキング機能付きミニラボ１６に送り、また、１件毎、もしくは１オーダー毎に、受付機１２で選択されたプリントパックの最も上に載置する画像を、一件の画像の最後（もしくは最初）にパッキング機能付きミニラボ１６に送る。
パッキング機能付きミニラボ１６は、露光部３０で供給された注文プリント画像およびプリントパックの最も上に載置する画像に応じて感光材料Ａを露光して潜像を記録し、プロセサ３２で所定の現像処理および乾燥を行ってプリントＰとしてパッカー３４に送り、パッカー３４において、前述のように１件毎、もしくは１オーダー毎にパッキングし、プリントパック８０を製品収容部７０に排出する。
【００４０】
パッキングされたプリントパック８０では、最も上に載置されているプリントが、顧客が受付機１２で選択した画像となっている。顧客は、注文時に受付機１２で出力された画像を元に、自分のプリントパック８０を探し出し、引換券と共にレジに渡して精算する。
このようにして、顧客は、自分が選択した画像が最も上に載置されているプリントパックを探し出せばよいため、自分の注文したプリントのプリントパック８０を容易に探し出すことができる。また、顧客が自分で、プリントパックの最も上に載置する画像を選択することができるため、プライバシーの保護が可能である。
【００４１】
本実施例では、プリントパックの最も上に載置する画像のパターンとして、上記のパターン（パターンＡとする）の例をとって、説明したが、プリントパックの最も上に載置する画像の選択方法としては、これ以外にも、パターンＢからパターンＥの４種が設定されている。
【００４２】
パターンＢは、受付機１２で予め保持している画像ライブラリの中から、顧客、あるいは受付機１２が適宜選択した画像を使用する方法である。受付機１２で、予め複数の画像を保持しておき、プリントパックの最も上に載置する画像の選択時に、保持している画像を、受付機１２のディスプレイなどの表示手段により表示して、その中から、顧客が載置する画像を選択するものである。なお、この場合は、すでに他の注文用に選択されている画像については、予め選択肢から外しておくなどして、複数の注文の間で、プリントパックの最も上に載置する画像が重複することを防ぐ。
【００４３】
パターンＣとしては、注文された１件の画像の中で、人物が存在する画像のうち、最も人物の顔が小さい画像を使用する方法が挙げられる。
この場合は、受付機１２では、プリントパックの最も上に載置する画像の選択はせず、注文された１件の画像を画像処理装置１４に供給する。画像処理装置１４では、注文された１件の各画像について画像解析を行い、人物が存在する画像のうち、最も人物の絵画小さい画像をプリントパックの最も上に載置する画像として選択する。画像解析の方法については、特に限定はなく、公知の方法を利用すればよい。また、本実施例では、画像解析は画像処理装置１４で行っているが、本発明はこれに限定はされず、外部に接続された画像解析手段などで行ってもよい。
【００４４】
パターンＤとしては、注文された１件の画像の中で、人物が存在しない画像を使用する方法が挙げられる。
この場合は、受付機１２では、プリントパックの最も上に載置する画像の選択はせず、注文された１件の画像を画像処理装置１４に供給する。画像処理装置１４では、注文された１件の各画像について画像解析を行い、人物が存在しない画像をプリントパックの最も上に載置する画像として選択する。画像解析の方法については、パターンＣの場合と同様に、特に限定はなく、公知の方法を利用すればよい。また、画像解析を行う場所についても、パターンＣと同様に、画像処理装置１４に限定はされず、外部に接続された画像解析手段などで行ってもよい。
【００４５】
パターンＥとしては、インデックス画像をぼかした画像を使用する方法がある。この場合は、受付機１２では、プリントパックの最も上に載置する画像の選択はせず、注文された１件の画像を画像処理装置１４に供給する。画像処理装置１４では、注文された１件の画像について、通常のインデックスプリントに用いる画像と同画像に対し、画像をぼかして明瞭に見えないように画像処理を施して、プリントする。このぼかしたインデックス画像を、プリントパックの最も上に載置する画像とする。これにより、顧客のプライバシーを保護しつつ、顧客には、自分の注文プリントを判別させることが可能となる。
【００４６】
なお、本実施例においては、プリントパックの最も上に載置する画像として上記５種類のパターンが用意されているが、本発明は、これに限定はされず、パターンの数は６種類以上でもよく、４種類以下でもよい。
また、さらに、上述したパターンＡ〜Ｅの方法を用いて、さらに画像に加工を施すことにより、不鮮明な画像としてもよい。加工については、特に限定はなく、ぼかしたり、絵画調にするなど、の加工が例示される。また、加工方法については、公知の加工方法を用いればよい。
【００４７】
パターンＡ、ＣおよびＤにおいては、プリントパックの最も上に載置する画像に、上述のように注文プリントを用いてもよいし、注文プリントと別にもう１枚プリントを出力して用いてもよい。注文プリントを用いる場合は、最も上に載置するプリントを別に出力する必要がなく、感光材料のロスを防ぐことができる。この際は、並べ替えを行うタイミングについては、特に指定はないが、プリントパックの最も上に載置する画像が決定した後で、受付機１２もしくは画像処理装置１４内で、画像データの順番を並べ替えてパッキング機能付きミニラボ１６に供給し、プリントを作っていくのが好ましい。
注文プリントをプリントパックの最も上に載置する画像として用いる場合は、バーコード、料金、注文情報などは、シールなどに記載して、袋に貼り付けるなどするとよい。
【００４８】
また、ＢおよびＥなど、プリントパックの最も上に載置する画像に、注文プリントを用いることができない場合は、プリントＩＤや注文情報、料金、バーコードなどは、シールプリントなどにより記載して、プリントパックに貼ってもよいし、プリントパックの最も上に載置する画像の空きスペースに印刷してもよい。
あるいは、プリントパックの最も下に載置する画像の裏面に、注文情報、料金およびバーコードなどの情報を記載することも可能である。この場合は、最も上に載置する画像により、自分の注文したプリントかどうか確認して、店側では、最も下に載置する画像の裏面を見て、注文情報、料金およびバーコードなどを使用することができる。
【００４９】
なお、注文データなどの、再生する情報は、上記の例に限定はされず、これ以外にも、注文データが有する各種の情報や、広告などが記載可能である。記載する情報としては、例えば、注文データに応じた、受付番号、受付日時、顧客ＩＤ、顧客の電話番号（ＴＥＬ）、顧客の住所および氏名、プリントを作成した画像のファイル名と枚数、プリント料金、および、プリント料金等を示すバーコード、プリント店の店名、プリント店の宣伝、プリントのインデックス画像、割引券等が例示される。
【００５０】
さらに、プリントパックの最も上に載置するプリントには、画像ではなく、記号やマークを組み合わせたものを用いてもよい。
例えば、図４（Ａ）は、７桁の数字からなる注文ＩＤによって注文プリントを照合する際の最も上に載置するプリントの一例であり、図４（Ｂ）は、記号やマークにより照合する際の最も上に載置するプリントの一例を示す。図４（Ｂ）のように、記号を用いる方が、一目で照合できるため、該当するプリントパックを探し出すのが容易となる。
【００５１】
以上の説明より明らかなように、本発明によれば、パッカーなどを使用して、注文プリントをパッキングする際に、集積されたプリントの最上部へ載置するプリントを、適宜選択された画像にすることにより、顧客のプライバシーを保護しつつ、顧客が自分のプリントを探し出すのを容易にすることができる。
【００５２】
以上、本発明の画像形成方法および画像形成装置について詳細に説明したが、本発明は上記実施例に限定はされず、本発明の要旨を逸脱しない範囲において、各種の改良や変更を行ってもよいのは、もちろんである。
例えば、以上の例では、パッキング機能付きミニラボ１６として、感光材料（印画紙）を像様露光して潜像を形成し、所定の湿式現像処理を行う写真プリンタを用いているが、本発明は、これに限定はされず、インクジェットプリンタ、電子写真プリンタ等、公知のプリンタが各種利用可能である。
また、ここでは、デジタルカメラや携帯電話等で撮影された画像を例にとって説明したが、本発明はこれに限定されず、前述のように、写真フィルムなどでも可能である。
【図面の簡単な説明】
【００５３】
【図１】本発明の画像形成装置を利用するプリント生産システムを概念的に示すブロック図である。
【図２】図１に示す画像形成装置のパッキング機能付きミニラボの概念図である。
【図３】包装用シートの一例の概略斜視図である。
【図４】引換券の一例を示す図である。
【符号の説明】
【００５４】
１０  （プリント）生産システム
１２  （プリント注文）受付機
１４  画像処理装置
１６  パッキング機能付きミニラボ
３０  露光部
３２  プロセサ
３４  パッカー
３８  感光材料ロール
４０  マガジン
４２  カッタ
４４  バックプリンタ
４６  露光ユニット
４８  現像部
５０  乾燥部
５２  搬送部
５４  大サイズプリント排出部
６０  包装用シート供給部
６２  開口手段
６４  ストッパ
６６  シール／カット部
６８  集積部
７０  製品収容部
７２  シートロール
７４  ガイドロール
７６，７８  搬送ローラ対
８０  プリントパック
【図１】
2006251638.tif 000003
【図２】
2006251638.tif 000004
【図３】
2006251638.tif 000005
【図４】
2006251638.tif 000006